(57)【要約】【課題】従来の空気清浄機はイオン発生装置の運転または停止という状態しか表示しないため、使用者はイオンが放出されているイメージがわきにくく、イオン発生装置の運転状況や発生量が離れた場所からでは確認し難いという課題があり、イオンが放出している運転状態が分かり易く、また離れた場所からでもイオン発生装置の運転状況や発生量が容易に確認できる使い勝手の良い空気清浄機を提供することを目的としている。【解決手段】ＬＥＤを縦に３段配置した構成で下段に１個、中段に８個、上段に１６個を配置したイオン発生状況を表示する表示手段としてのＬＥＤ表示部６を備えることで、イオンが放出している運転状態が分かり易く、また離れた場所からでもイオン発生装置の運転状況や発生量が容易に確認できる使い勝手の良い空気清浄機が得られる。【選択図】図２
2010136741.tif 000002
【特許請求の範囲】
【請求項１】
本体に設けた吸気口と、この吸気口から吸気した汚れ空気を清浄化する浄化手段と、この浄化手段に通風する送風手段と、イオンを発生するイオン発生手段と、前記イオン発生手段のイオン発生状況を表示する表示手段を備え、前記表示手段は３次元的にイオンが放出されていくように表示することを特徴とする空気清浄機。
【請求項２】
表示手段は複数個のＬＥＤを縦に３段以上配置した構成とすることを特徴とする請求項１記載の空気清浄機。
【請求項３】
表示手段は複数個の縦に３段以上配置されたＬＥＤが下方から上方に向かって配置する数を下方の数以上とすることを特徴とする請求項１または２記載の空気清浄機。
【請求項４】
表示手段は複数個の縦に３段以上配置されたＬＥＤを空気清浄機の運転中に下方から上方に巡回点灯させる構成としたことを特徴とする請求項１〜３いずれか記載の空気清浄機。
【請求項５】
ＬＥＤを巡回点灯させる速度をイオン発生手段のイオン発生量により変更することを特徴とする請求項４記載の空気清浄機。
【請求項６】
巡回点灯させるＬＥＤの総個数をイオン発生手段のイオン発生量により変更することを特徴とする請求項４記載の空気清浄機。
【請求項７】
イオン発生手段のイオン発生量がゼロの時に、すべてのＬＥＤを点滅表示することを特徴とする請求項５または６記載の空気清浄機。
【請求項８】
ＬＥＤを巡回点灯させる速度を空気清浄機の運転モードにより変更することを特徴とする請求項４記載の空気清浄機。
【請求項９】
空気中の汚れ成分を検出する汚れ検出手段を備え、ＬＥＤを巡回点灯させる速度を前記汚れ検出手段の計測値の大小により変更することを特徴とする請求項４記載の空気清浄機。
【請求項１０】
汚れ検出手段の計測値の大小によりＬＥＤの表示する色を変更することを特徴とする請求項９記載の空気清浄機。
【請求項１１】
空気清浄機本体近傍の照度を計測する照度計を備え、前記照度計にて計測された照度の大小によりＬＥＤの輝度を変更することを特徴とする請求項２〜１０いずれか記載の空気清浄機。
【請求項１２】
使用者が表示手段の点灯または消灯を設定することができることを特徴とする請求項２〜１１いずれか記載の空気清浄機。
【発明の詳細な説明】
【技術分野】
【０００１】
本発明は、粉塵センサーおよびガスセンサーにより室内の空気汚れを検出し、制御手段が送風手段を駆動して室内空気を吸い込み、浄化手段を通して清浄化する空気清浄機に関するものである。
【背景技術】
【０００２】
従来、この種の空気清浄機は下記に記載されたものが知られている。
【０００３】
以下その空気清浄機について図１５および図１６を用いて説明する。図１５に示すように、空気清浄機本体１０１には、前方に吸気口１０２、上方に吹出口１０３、本体１０１内部にはモーター１０４、ファン１０５、イオン発生装置１０６が設けられている。また、正面に表示部１０７を設けている。表示部１０７の詳細構成は図１６に示すように、表示部１０７にイオン運転表示１０８と、イオン量表示部１０９を設けている。
【０００４】
上記構成において、イオン発生装置１０６の運転をイオン運転表示１０８の点灯により表示し、またイオン発生装置１０６の運転により発生したイオン量をイオン量表示部１０９の点灯により表示するというものである。（例えば、特許文献１参照）。
【特許文献１】特開２００３−５６８７８号公報
【発明の開示】
【発明が解決しようとする課題】
【０００５】
このような従来の空気清浄機では、イオン発生装置の運転または停止という状態しか表示しないため、使用者はイオンが放出されているイメージがわきにくく、運転状態が分かり難いという課題があった。
【０００６】
また、イオン発生装置の運転状況や発生量が離れた場所からでは確認し難いという課題があった。
【０００７】
本発明は、このような従来の課題を解決するものであり、イオンが放出している運転状態が分かり易く、また離れた場所からでもイオン発生装置の運転状況や発生量が容易に確認できる使い勝手の良い空気清浄機を提供することを目的としている。
【課題を解決するための手段】
【０００８】
本発明の空気清浄機は上記目的を達成するために、本体に設けた吸気口と、この吸気口から吸気した汚れ空気を清浄化する浄化手段と、この浄化手段に通風する送風手段と、イオンを発生するイオン発生手段と、前記イオン発生手段のイオン発生状況を表示する表示手段を備え、前記表示手段は３次元的にイオンが放出されていくように表示することを特徴としたものである。
【０００９】
この手段によりイオンが放出している運転状態が分かり易く、また離れた場所からでもイオン発生装置の運転状況や発生量が容易に確認できる使い勝手の良い空気清浄機が得られる。
【００１０】
また、表示手段は複数個のＬＥＤを縦に３段以上配置した構成としたものである。
【００１１】
この手段によりイオンが放出している運転状態が分かり易く、また離れた場所からでもイオン発生装置の運転状況や発生量が容易に確認できる使い勝手の良い空気清浄機が得られる。
【００１２】
また、表示手段は複数個の縦に３段以上配置されたＬＥＤが下方から上方に向かって配置する数を下方の数以上としたものである。
【００１３】
この手段によりイオンが放出している運転状態が分かり易く、また離れた場所からでもイオン発生装置の運転状況や発生量が容易に確認できる使い勝手の良い空気清浄機が得られる。
【００１４】
また、表示手段は複数個の縦に３段以上配置されたＬＥＤを空気清浄機の運転中に下方から上方に巡回点灯させる構成としたものである。
【００１５】
この手段によりイオンが放出している運転状態が分かり易く、また離れた場所からでもイオン発生装置の運転状況や発生量が容易に確認できる使い勝手の良い空気清浄機が得られる。
【００１６】
また、ＬＥＤを巡回点灯させる速度をイオン発生手段のイオン発生量により変更することを特徴としたものである。
【００１７】
この手段によりイオンが放出している運転状態が分かり易く、また離れた場所からでもイオン発生装置の運転状況や発生量が容易に確認できる使い勝手の良い空気清浄機が得られる。
【００１８】
また、巡回点灯させるＬＥＤの総個数をイオン発生手段のイオン発生量により変更することを特徴としたものである。
【００１９】
この手段によりイオンが放出している運転状態が分かり易く、また離れた場所からでもイオン発生装置の運転状況や発生量が容易に確認できる使い勝手の良い空気清浄機が得られる。
【００２０】
また、イオン発生手段のイオン発生量がゼロの時に、すべてのＬＥＤを点滅表示することを特徴としたものである。
【００２１】
この手段により離れた場所からでもイオン発生装置の運転状況や発生量が容易に確認できる使い勝手の良い空気清浄機が得られる。
【００２２】
また、ＬＥＤを巡回点灯させる速度を空気清浄機の運転モードにより変更することを特徴としたものである。
【００２３】
この手段により空気清浄機の運転モードとイオン発生装置の運転状況を同一のＬＥＤで表現することができ、イオンが放出している運転状態が分かり易く、また離れた場所からでもイオン発生装置の運転状況や発生量が容易に確認できる使い勝手の良い空気清浄機が得られる。
【００２４】
また、空気中の汚れ成分を検出する汚れ検出手段を備え、ＬＥＤを巡回点灯させる速度を前記汚れ検出手段の計測値の大小により変更することを特徴としたものである。
【００２５】
この手段により空気中の汚れ状態とイオン発生装置の運転状況を同一のＬＥＤで表現することができ、イオンが放出している運転状態が分かり易く、また離れた場所からでもイオン発生装置の運転状況や発生量が容易に確認できる使い勝手の良い空気清浄機が得られる。
【００２６】
また、汚れ検出手段の計測値の大小によりＬＥＤの表示する色を変更することを特徴としたものである。
【００２７】
この手段により空気中の汚れ状態とイオン発生装置の運転状況を同一のＬＥＤで表現することができ、イオンが放出している運転状態が分かり易く、また離れた場所からでもイオン発生装置の運転状況や発生量が容易に確認できる使い勝手の良い空気清浄機が得られる。
【００２８】
また、空気清浄機本体近傍の照度を計測する照度計を備え、前記照度計にて計測された照度の大小によりＬＥＤの輝度を変更することを特徴としたものである。
【００２９】
この手段により消費電力が少なくなり、省エネ性が向上する空気清浄機が得られる。
【００３０】
また、使用者が表示手段の点灯または消灯を設定することができることを特徴としたものである。
【００３１】
この手段により使い勝手が良く、省エネ性が向上する空気清浄機が得られる。
【発明の効果】
【００３２】
本発明によれば、本体に設けた吸気口と、この吸気口から吸気した汚れ空気を清浄化する浄化手段と、この浄化手段に通風する送風手段と、イオンを発生するイオン発生手段と、前記イオン発生手段のイオン発生状況を表示する表示手段を備え、前記表示手段は３次元的にイオンが放出されていくように表示することにより、イオンが放出している運転状態が分かり易く、また離れた場所からでもイオン発生装置の運転状況や発生量が容易に確認できる使い勝手の良い空気清浄機を提供できる。
【００３３】
また、表示手段は複数個のＬＥＤを縦に３段以上配置した構成とすることにより、イオンが放出している運転状態が分かり易く、また離れた場所からでもイオン発生装置の運転状況や発生量が容易に確認できる使い勝手の良い空気清浄機を提供できる。
【００３４】
また、表示手段は複数個の縦に３段以上配置されたＬＥＤが下方から上方に向かって配置する数を下方の数以上としたことにより、イオンが放出している運転状態が分かり易く、また離れた場所からでもイオン発生装置の運転状況や発生量が容易に確認できる使い勝手の良い空気清浄機を提供できる。
【００３５】
また、表示手段は複数個の縦に３段以上配置されたＬＥＤを空気清浄機の運転中に下方から上方に巡回点灯させる構成としたことにより、イオンが放出している運転状態が分かり易く、また離れた場所からでもイオン発生装置の運転状況や発生量が容易に確認できる使い勝手の良い空気清浄機を提供できる。
【００３６】
また、ＬＥＤを巡回点灯させる速度をイオン発生手段のイオン発生量により変更することにより、イオンが放出している運転状態が分かり易く、また離れた場所からでもイオン発生装置の運転状況や発生量が容易に確認できる使い勝手の良い空気清浄機を提供できる。
【００３７】
また、巡回点灯させるＬＥＤの総個数をイオン発生手段のイオン発生量により変更することにより、イオンが放出している運転状態が分かり易く、また離れた場所からでもイオン発生装置の運転状況や発生量が容易に確認できる使い勝手の良い空気清浄機を提供できる。
【００３８】
また、イオン発生手段のイオン発生量がゼロの時に、すべてのＬＥＤを点滅表示することにより、離れた場所からでもイオン発生装置の運転状況や発生量が容易に確認できる使い勝手の良い空気清浄機を提供できる。
【００３９】
また、ＬＥＤを巡回点灯させる速度を空気清浄機の運転モードにより変更することにより、空気清浄機の運転モードとイオン発生装置の運転状況を同一のＬＥＤで表現することができ、イオンが放出している運転状態が分かり易く、また離れた場所からでもイオン発生装置の運転状況や発生量が容易に確認できる使い勝手の良い空気清浄機を提供できる。
【００４０】
また、空気中の汚れ成分を検出する汚れ検出手段を備え、ＬＥＤを巡回点灯させる速度を前記汚れ検出手段の計測値の大小により変更することにより、空気中の汚れ状態とイオン発生装置の運転状況を同一のＬＥＤで表現することができ、イオンが放出している運転状態が分かり易く、また離れた場所からでもイオン発生装置の運転状況や発生量が容易に確認できる使い勝手の良い空気清浄機を提供できる。
【００４１】
また、汚れ検出手段の計測値の大小によりＬＥＤの表示する色を変更することにより、空気中の汚れ状態とイオン発生装置の運転状況を同一のＬＥＤで表現することができ、イオンが放出している運転状態が分かり易く、また離れた場所からでもイオン発生装置の運転状況や発生量が容易に確認できる使い勝手の良い空気清浄機を提供できる。
【００４２】
また、空気清浄機本体近傍の照度を計測する照度計を備え、前記照度計にて計測された照度の大小によりＬＥＤの輝度を変更することにより、消費電力が少なくなり、省エネ性が向上するという効果のある空気清浄機を提供できる。
【００４３】
また、使用者が表示手段の点灯または消灯を設定することができることにより、使い勝手が良く、省エネ性が向上するという効果のある空気清浄機を提供できる。
【発明を実施するための最良の形態】
【００４４】
本発明の請求項１記載の発明は、本体に設けた吸気口と、この吸気口から吸気した汚れ空気を清浄化する浄化手段と、この浄化手段に通風する送風手段と、イオンを発生するイオン発生手段と、前記イオン発生手段のイオン発生状況を表示する表示手段を備え、前記表示手段は３次元的にイオンが放出されていくように表示したものであり、どの方向からでも立体的に視認できるためイオンが放出している運転状態が分かり易く、また離れた場所からでもイオン発生装置の運転状況や発生量が容易に確認でき使い勝手が向上するという作用を有する。
【００４５】
また、表示手段は複数個のＬＥＤを縦に３段以上配置した構成としたものであり、イオンが放出している運転状態が分かり易く、また離れた場所からでもイオン発生装置の運転状況や発生量が容易に確認でき使い勝手が向上するという作用を有する。
【００４６】
また、表示手段は複数個の縦に３段以上配置されたＬＥＤが下方から上方に向かって配置する数を下方の数以上としたものであり、どの方向からでも立体的に視認できるためイオンが放出している運転状態が分かり易く、また離れた場所からでもイオン発生装置の運転状況や発生量が容易に確認でき使い勝手が向上するという作用を有する。
【００４７】
また、表示手段は複数個の縦に３段以上配置されたＬＥＤを空気清浄機の運転中に下方から上方に巡回点灯させる構成としたものであり、どの方向からでも立体的に視認できるためイオンが放出している運転状態が分かり易く、また離れた場所からでもイオン発生装置の運転状況や発生量が容易に確認でき使い勝手が向上するという作用を有する。
【００４８】
また、ＬＥＤを巡回点灯させる速度をイオン発生手段のイオン発生量により変更するようにしたものであり、どの方向からでも立体的に視認できるためイオンが放出している運転状態が分かり易く、また離れた場所からでもイオン発生装置の運転状況や発生量が容易に確認でき使い勝手が向上するという作用を有する。
【００４９】
また、巡回点灯させるＬＥＤの総個数をイオン発生手段のイオン発生量により変更するようにしたものであり、どの方向からでも立体的に視認できるためイオンが放出している運転状態が分かり易く、また離れた場所からでもイオン発生装置の運転状況や発生量が容易に確認でき使い勝手が向上するという作用を有する。
【００５０】
また、イオン発生手段のイオン発生量がゼロの時に、すべてのＬＥＤを点滅表示するようにしたものであり、どの方向からでも立体的に視認できるため離れた場所からでもイオン発生装置の運転状況や発生量が容易に確認でき使い勝手が向上するという作用を有する。
【００５１】
また、ＬＥＤを巡回点灯させる速度を空気清浄機の運転モードにより変更するようにしたものであり、空気清浄機の運転モードとイオン発生装置の運転状況を同一のＬＥＤで表現することができ、どの方向からでも立体的に視認できるためイオンが放出している運転状態が分かり易く、また離れた場所からでもイオン発生装置の運転状況や発生量が容易に確認でき使い勝手が向上するという作用を有する。
【００５２】
また、空気中の汚れ成分を検出する汚れ検出手段を備え、ＬＥＤを巡回点灯させる速度を前記汚れ検出手段の計測値の大小により変更するようにしたものであり、空気中の汚れ状態とイオン発生装置の運転状況を同一のＬＥＤで表現することができ、どの方向からでも立体的に視認できるためイオンが放出している運転状態が分かり易く、また離れた場所からでもイオン発生装置の運転状況や発生量が容易に確認でき使い勝手が向上するという作用を有する。
【００５３】
また、汚れ検出手段の計測値の大小によりＬＥＤの表示する色を変更するようにしたものであり、空気中の汚れ状態とイオン発生装置の運転状況を同一のＬＥＤで表現することができ、どの方向からでも立体的に視認できるためイオンが放出している運転状態が分かり易く、また離れた場所からでもイオン発生装置の運転状況や発生量が容易に確認でき使い勝手が向上するという作用を有する。
【００５４】
また、空気清浄機本体近傍の照度を計測する照度計を備え、前記照度計にて計測された照度の大小によりＬＥＤの輝度を変更するようにしたものであり、消費電力が少なくなり、省エネ性が向上するという作用を有する。
【００５５】
また、使用者が表示手段の点灯または消灯を設定することができるようにしたものであり、使い勝手が良く、省エネ性が向上するという作用を有する。
【００５６】
以下、本発明の実施の形態について図面を参照しながら説明する。
【００５７】
（実施の形態１）
図１に示すように、空気清浄機の本体１は略箱形に形成され、この本体１の側面には吸気口２を設けている。本体１内には空気を清浄化するための浄化手段としてのフィルター４と、このフィルター４に通風する送風手段としてのファンモーター３と、イオンを発生させるイオン発生手段としてのイオン発生ユニット５と、イオン発生状況を表示する表示手段としてのＬＥＤ表示部６を備えている。
【００５８】
また、ＬＥＤ表示部６は、図２（イ）斜視図および（ロ）上面図、（ハ）正面図、（ニ）側面図に示すように、ＬＥＤを縦に３段配置した構成で下段に１個、中段に８個、上段に１６個を配置する。
【００５９】
上記構成において、ＬＥＤ表示部６の２５個のＬＥＤの消灯および点灯動作について説明する。イオン発生ユニット５からイオンが発生している間、ＬＥＤ表示部６のＬＥＤは図３の（ａ）〜（ｄ）に示す点灯パターンのように、すべてのＬＥＤ消灯→下段のＬＥＤ１個点灯→下段のＬＥＤ１個と中段のＬＥＤ８個点灯→すべてのＬＥＤ点灯→すべてのＬＥＤ消灯→下段のＬＥＤ１個点灯→・・・の順番で巡回点灯を繰り返す。
【００６０】
このようにＬＥＤを縦に３段配置し下方から上方に巡回点灯させる構成とすることで、どの方向からでも立体的に視認できるためイオンが放出している運転状態が分かり易く、また離れた場所からでもイオン発生装置の運転状況や発生量が容易に確認でき使い勝手を向上させることができる。
【００６１】
なお、実施の形態１では一例として、２５個のＬＥＤを縦に３段の配置としたが、複数個のＬＥＤを縦に３段以上配置すれば良く、その作用効果に差異を生じない。
【００６２】
（実施の形態２）
本実施の形態は前記実施の形態１と制御方法が異なるのみであり、同一構成のものは同一番号を付して詳しい説明は省略する。
【００６３】
図４に示すように、イオン発生ユニット５からのイオン発生量に３段階のレベルを設け、レベル１の場合ＬＥＤの表示切替速度を３秒、レベル２の場合ＬＥＤの表示切替速度を２秒、レベル３の場合ＬＥＤの表示切替速度を１秒とする。この表示切替速度はＬＥＤ表示部６のＬＥＤが図３の（ａ）〜（ｄ）に示す点灯パターンのように、すべてのＬＥＤ消灯→下段のＬＥＤ１個点灯→下段のＬＥＤ１個と中段のＬＥＤ８個点灯→すべてのＬＥＤ点灯→すべてのＬＥＤ消灯→下段のＬＥＤ１個点灯→・・・の順番で巡回点灯を繰り返す切替速度である。例えば、イオン発生量がレベル１の場合、図３の（ａ）すべてのＬＥＤ消灯状態を３秒表示した後、図３の（ｂ）下段のＬＥＤ１個点灯に切替わる。図３の（ｂ）下段のＬＥＤ１個点灯状態を３秒表示した後、図３の（ｃ）下段のＬＥＤ１個と中段のＬＥＤ８個点灯に切替わる。図３の（ｃ）下段のＬＥＤ１個と中段のＬＥＤ８個点灯状態を３秒表示した後、図３の（ｄ）すべてのＬＥＤ点灯に切替わる。図３の（ｄ）すべてのＬＥＤ点灯状態を３秒表示した後、図３の（ａ）すべてのＬＥＤ消灯状態に切替わる。このように３秒の切替速度で巡回点灯を繰り返す。
【００６４】
また、図５に示すようにイオン発生量に３段階のレベルを設け、レベル１の場合ＬＥＤの点灯総個数を９個、レベル２の場合ＬＥＤの点灯総個数を１７個、レベル３の場合ＬＥＤの点灯総個数を２５個とする。イオン発生量がレベル３の場合、点灯総個数２５個のＬＥＤは図６の（ａ）〜（ｄ）に示す点灯パターンのように、すべてのＬＥＤ消灯→下段のＬＥＤ１個点灯→下段のＬＥＤ１個と中段のＬＥＤ８個点灯→すべてのＬＥＤ点灯→すべてのＬＥＤ消灯→下段のＬＥＤ１個点灯→・・・の順番で巡回点灯を繰り返す。イオン発生量がレベル２の場合、点灯総個数１７個のＬＥＤは図７の（ａ）〜（ｄ）に示す点灯パターンのように、すべてのＬＥＤ消灯→下段のＬＥＤ１個点灯→下段のＬＥＤ１個と中段のＬＥＤ８個点灯→下段のＬＥＤ１個と中段のＬＥＤ８個と上段のＬＥＤ８個点灯→すべてのＬＥＤ消灯→下段のＬＥＤ１個点灯→・・・の順番で巡回点灯を繰り返す。イオン発生量がレベル１の場合、点灯総個数９個のＬＥＤは図８の（ａ）〜（ｄ）に示す点灯パターンのように、すべてのＬＥＤ消灯→下段のＬＥＤ１個点灯→下段のＬＥＤ１個と中段のＬＥＤ４個点灯→下段のＬＥＤ１個と中段のＬＥＤ４個と上段のＬＥＤ４個点灯→すべてのＬＥＤ消灯→下段のＬＥＤ１個点灯→・・・の順番で巡回点灯を繰り返す。
【００６５】
またイオン発生量がゼロの場合すなわちイオン発生ユニット５の動作を停止させた場合、図９の（ａ）〜（ｂ）に示す点灯パターンのように、すべてのＬＥＤ点灯→すべてのＬＥＤ消灯→すべてのＬＥＤ点灯→・・・の順番で巡回点灯を繰り返し、点滅表示を行う。
【００６６】
このようにイオン発生量と連動してＬＥＤの点灯速度、個数を変化させえることで、どの方向からでも立体的に視認できるためイオンが放出している運転状態が分かり易く、また離れた場所からでもイオン発生装置の運転状況や発生量が容易に確認でき使い勝手を向上させることができる。
【００６７】
なお、実施の形態２では一例として、ＬＥＤの点灯切替速度をレベル１の場合３秒、レベル２の場合２秒、レベル３の場合１秒としたが、レベル毎に時間差を設ければよく、その作用効果に差異を生じない。
【００６８】
また、ＬＥＤの点灯総個数をレベル１の場合９個、レベル２の場合１７個、レベル３の場合２５個としたが、レベル毎に個数差を設ければよく、その作用効果に差異を生じない。
【００６９】
（実施の形態３）
本実施の形態は前記実施の形態１と制御方法が異なるのみであり、同一構成のものは同一番号を付して詳しい説明は省略する。
【００７０】
図１０に示すように、ファンモーター３の回転速度を弱、中、強とした運転モードを備え、この運転モード毎にＬＥＤの巡回点灯の表示切替速度を変更する。運転モードが弱の場合、表示切替速度を３秒とし、運転モードが中の場合、表示切替速度を２秒とし、運転モードが強の場合、表示切替速度を１秒とする。
【００７１】
また、図１１に示すように、空気清浄機の本体１に汚れ検出手段としてのガスセンサー７を備え、図１２に示すように、ガスセンサー７の計測値の大小により、ＬＥＤの巡回点灯の表示切替速度を変更する。ガスセンサー７の計測値に３段階のレベルを設け、レベル１の場合、表示切替速度を３秒とし、レベル２の場合、表示切替速度を２秒とし、レベル３の場合、表示切替速度を１秒とする。さらに、図１３に示すように、ガスセンサー７の計測値のレベル毎にＬＥＤの色を変更する。レベル１の場合、ＬＥＤ色を青、レベル２の場合、ＬＥＤ色を紫、レベル３の場合、ＬＥＤ色を赤とする。
【００７２】
このように空気清浄機の運転モードにより、ＬＥＤの点灯速度を変化させることとイオン発生装置の運転状況に応じてＬＥＤの点灯総個数を変化させることを組み合わせることで、空気清浄機の運転モードとイオン発生装置の運転状況を同一のＬＥＤで表現することができ、イオンが放出している運転状態が分かり易く、また離れた場所からでもイオン発生装置の運転状況や発生量が容易に確認でき使い勝手を向上させることができる。
【００７３】
また、ガスセンサーの計測値の大小により、ＬＥＤの点灯速度や色を変化させることとイオン発生装置の運転状況に応じてＬＥＤの点灯総個数を変化させることを組み合わせることで、空気中の汚れ状態とイオン発生装置の運転状況を同一のＬＥＤで表現することができ、イオンを放出している運転状態が分かり易く、また離れた場所からでもイオン発生装置の運転状況やその発生量が容易に確認でき使い勝手を向上させることができる。
【００７４】
なお、実施の形態３ではＬＥＤの色をガスセンサーの計測値のレベル毎に青、紫、赤としたが、ガスセンサーの計測値の大小によりＬＥＤの色に差を設ければよく、その作用効果に差異を生じない。
【００７５】
（実施の形態４）
本実施の形態は前記実施の形態１あるいは２、あるいは３と制御方法が異なるのみであり、同一構成のものは同一番号を付して詳しい説明は省略する。
【００７６】
図１４に示すように、空気清浄機の本体１に本体近傍の照度を計測する照度計８と、表示の切／入を操作できる表示切／入スイッチ９を備えている。
【００７７】
上記構成において、照度計８によって空気清浄機本体の近傍が暗いと判断された場合はＬＥＤ表示部６の輝度を抑える。
【００７８】
また、使用者が空気清浄機の本体１の天面に備えられている表示切／入スイッチ９を用いて、ＬＥＤ表示部６を好みに合わせて点灯または消灯できる。
【００７９】
このように空気清浄機本体近傍の照度に合わせてＬＥＤ表示部の輝度を変化させることで、消費電力が少なくなり省エネ性が向上する。
【００８０】
また、ＬＥＤ表示部の点灯または消灯を行うことができる表示切／入スイッチを備えることで、就寝時などには消灯して使用することができ、使い勝手がよく、省エネ性が向上する。
【産業上の利用可能性】
【００８１】
イオン発生装置を備えた加湿器や、除湿機などの空調機器にも適用できる。
【図面の簡単な説明】
【００８２】
【図１】本発明の実施の形態１の空気清浄機の構成図
【図２】同空気清浄機のＬＥＤ表示部の構成図（（イ）斜視図、（ロ）上面図、（ハ）正面図（ニ）側面図）
【図３】同空気清浄機のＬＥＤ表示部の動作を示す図
【図４】本発明の実施の形態２の空気清浄機のイオン発生量と点灯切替速度の相関図
【図５】同空気清浄機のイオン発生量と点灯総個数の相関図
【図６】同空気清浄機のＬＥＤ表示部の動作を示す図
【図７】同空気清浄機のＬＥＤ表示部の動作を示す図
【図８】同空気清浄機のＬＥＤ表示部の動作を示す図
【図９】同空気清浄機のＬＥＤ表示部の動作を示す図
【図１０】本発明の実施の形態３の空気清浄機の運転モードと点灯切替速度の相関図
【図１１】同空気清浄機の構成図
【図１２】同空気清浄機のガスセンサーの計測値と点灯切替速度の相関図
【図１３】同空気清浄機のガスセンサーの計測値とＬＥＤ色の相関図
【図１４】本発明の実施の形態４の空気清浄機の構成図
【図１５】従来の空気清浄機の構成図
【図１６】同表示部拡大図
【符号の説明】
【００８３】
１  本体
２  吸気口
３  ファンモーター
４  フィルター
５  イオン発生ユニット
６  ＬＥＤ表示部
７  ガスセンサー
８  照度計
９  表示切／入スイッチ
【図１】
2010136741.tif 000003
【図２】
2010136741.tif 000004
【図３】
2010136741.tif 000005
【図４】
2010136741.tif 000006
【図５】
2010136741.tif 000007
【図６】
2010136741.tif 000008
【図７】
2010136741.tif 000009
【図８】
2010136741.tif 000010
【図９】
2010136741.tif 000011
【図１０】
2010136741.tif 000012
【図１１】
2010136741.tif 000013
【図１２】
2010136741.tif 000014
【図１３】
2010136741.tif 000015
【図１４】
2010136741.tif 000016
【図１５】
2010136741.tif 000017
【図１６】
2010136741.tif 000018